(57)【特許請求の範囲】
【請求項１】
パウダー化粧料を内部に収納することができる下端部が閉塞された円筒状の容器本体と、この容器本体の開口端部側の内壁面に形成されたねじ部と、このねじ部と螺合するねじ部が先端部に形成された握り柄と、この握り柄内に収納されたスプリングで常時突出するように付勢され、収納時には先端部が前記容器本体内に位置する先端部に塗布具が設けられた塗布軸とからなるパウダー化粧料収納容器において、前記容器本体内をスライド移動する筒状のスライド移動体本体、このスライド移動体本体の外周部に形成された前記容器本体の内壁面に付着したパウダー化粧料を内部へかき落とすことができるかき落としリング、前記スライド移動体の内壁面あるいは内側端部に形成された、前記塗布具をしごくことができるとともに、塗布軸の通過を阻止するリング状のストッパー片とからなるスライド移動体を設けたことを特徴とするパウダー化粧料の収納容器。
【発明の詳細な説明】
【技術分野】
【０００１】
本発明はパウダー状の化粧料を収納することができるパウダー化粧料の収納容器に関する。
【背景技術】
【０００２】
従来、パウダー状の化粧料を収納する容器は下端部が閉塞された円筒状の容器本体と、この容器本体の開口端部側の内壁面に形成されたねじ部と、このねじ部と螺合するねじ部が先端部に形成された握り柄と、この握り柄内にスプリングで常時突出するように付勢され、収納時には先端部が前記容器本体内に位置する先端部に塗布具が設けられた塗布軸とで構成されていた。
【０００３】
このため、使用時や収納時の容器本体内への塗布具の出し入れ時に、容器本体内に収納されたパウダー状の化粧料が飛散して、塗布軸や容器本体の開口端部にパウダー状の化粧料が付着して汚れてしまうという欠点があった。
このため、パウダー状の化粧料をプレスして飛散しづらい状態にしなければ使用できないという欠点があった。
【特許文献１】実公平６−１０９０１
【発明の開示】
【発明が解決しようとする課題】
【０００４】
本発明は以上のような従来の欠点に鑑み、パウダー化粧料をプレスで固めなくても、飛散して塗布軸や容器本体の開口端部を汚したりするのを効率よく阻止することができるとともに、塗布具に最適な量のパウダー化粧料の付着が可能なパウダー化粧料の収納容器を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はパウダー化粧料を内部に収納することができる下端部が閉塞された円筒状の容器本体と、この容器本体の開口端部側の内壁面に形成されたねじ部と、このねじ部と螺合するねじ部が先端部に形成された握り柄と、この握り柄内に収納されたスプリングで常時突出するように付勢され、収納時には先端部が前記容器本体内に位置する先端部に塗布具が設けられた塗布軸とからなるパウダー化粧料収納容器において、前記容器本体内をスライド移動する筒状のスライド移動体本体、このスライド移動体本体の外周部に形成された前記容器本体の内壁面に付着したパウダー化粧料を内部へかき落とすことができるかき落としリング、前記スライド移動体の内壁面あるいは内側端部に形成された、前記塗布具をしごくことができるとともに、塗布軸の通過を阻止するリング状のストッパー片とからなるスライド移動体を設けてパウダー化粧料の収納容器
を構成している。
【発明の効果】
【０００７】
以上の説明から明らかなように、本発明にあっては次に列挙する効果が得られる。
【０００８】
（１）パウダー化粧料を内部に収納することができる下端部が閉塞された円筒状の容器本体と、この容器本体の開口端部側の内壁面に形成されたねじ部と、このねじ部と螺合するねじ部が先端部に形成された握り柄と、この握り柄内に収納されたスプリングで常時突出するように付勢され、収納時には先端部が前記容器本体内に位置する先端部に塗布具が設けられた塗布軸とからなるパウダー化粧料収納容器において、前記容器本体内をスライド移動する筒状のスライド移動体本体、このスライド移動体本体の外周部に形成された前記容器本体の内壁面に付着したパウダー化粧料を内部へかき落とすことができるかき落としリング、前記スライド移動体の内壁面あるいは内側端部に形成された、前記塗布具をしごくことができるとともに、塗布軸の通過を阻止するリング状のストッパー片とからなるスライド移動体とで構成されているので、容器本体内のパウダー化粧料は容器本体内、スライド移動体、このスライド移動体内へ挿入され、ストッパー片に係止された塗布軸とで密封状態となり、外方へ飛散するのを確実に防止することができる。
【０００９】
（２）前記（１）によって、使用する場合には容器本体より塗布具を取り出す場合、スライド移動体のストッパー片によって塗布具がしごかれ、最適状態でパウダー化粧料が付着した状態で取り出すことができる。
【００１０】
（３）前記（１）によって、容器本体内へ塗布具を収納する場合、塗布具がスライド移動体内へ挿入され、塗布軸の先端部がストッパー片と当接されるまで押し込まれるが、この時、スライド移動体も容器本体内へ押し込まれ、外周部のかき落としリングによって、容器本体の内壁に付着したパウダー化粧料をかき落として、容器本体内へ位置させることができる。
したがって、パウダー化粧料を効率よく使用することができるとともに、プレスすることなく粉体のままで使用でき、かつ容器本体の汚れを防止することができる。
【００１１】
（４）前記（１）によって、スライド移動体を設置するだけでよいので、構造が簡単で、容易に実施することができる。
【発明を実施するための最良の形態】
【００１２】
以下、図面に示す本発明を実施するための最良の形態により、本発明を詳細に説明する。
【００１３】
図１ないし図６に示す本発明を実施するための最良の第１の形態において、１はパウダー化粧料２をプレスすることなく、粉体のまま収納して使用することができる本発明のパウダー化粧料の収納容器で、このパウダー化粧料の収納容器1はパウダー化粧料２を内部に収納することができる下端部が閉塞された円筒状の容器本体３と、この容器本体３の開口端部側の内壁面３ａに形成されたねじ部４と、このねじ部４と螺合するねじ部５が先端部に形成された握り柄６と、この握り柄６内に収納されたスプリング７で常時突出するように付勢され、収納時には先端部が前記容器本体３内に位置する先端部にスポンジチップ等の材質の先端部が突出し、中央部が外方へ突出する球状の塗布具８が設けられた塗布軸９と、前記容器本体３内をスライド移動する筒状のスライド移動体１０とで構成されている。
【００１４】
前記握り柄６は一端部が閉塞された筒状の握り柄本体１１と、この握り柄本体１１の開口部１２側に嵌合固定された筒状の嵌合片１３、この嵌合片１３の後端部に一体形成されたフランジ部１４、このフランジ部１４と一体形成された前記容器本体３のねじ部４と螺合するねじ部５とからなる嵌合部材１５とで構成されている。
【００１５】
前記塗布軸９の後端部には常時スプリング７で付勢されて、前記握り柄６の嵌合部材１５の嵌合片１３の端部へ常時押し圧される押し圧板１６が固定され、塗布軸９の握り柄６からの脱落を防止している。
【００１６】
前記スライド移動体１０は前記容器本体３内をスライド移動する筒状のスライド移動体本体１７と、このスライド移動体本体１７の下部の外周部に外方へ突出するように形成された、前記容器本体３の内壁面３ａに付着したパウダー化粧料２を内部へかき落とすことができるかき落としリング１８と、前記スライド移動体本体１７の上部外周部に外方へ突出するように形成された、前記容器本体３の内壁面３ａに密接状態で当接するガタ防止用リング１９と、前記スライド移動体本体１７の下部端に形成された前記塗布具８をしごくことができる内径で、前記塗布軸９の通過を阻止することができるリング状のストッパー片２０とで構成されている。  
【００１７】
上記構成のパウダー化粧料の収納容器１は、収納状態では容器本体３のねじ部４に握り柄６のねじ部５が螺合して密封状態となっている。
この時、塗布具８はスライド移動体１０内を通過し、パウダー化粧料２内へ位置し、塗布軸９の先端部はスライド移動体１０のストッパー片２０に当接し、かつスライド移動体１０をかき落としリング１８で内壁面に付着したパウダー化粧料２をかき落として下方へ押し下げた状態となっている。
【００１８】
使用する場合には、容器本体３と握り柄６を持って回転させ、ねじ部４とねじ部５の螺合を解除して引き上げると、塗布具８はストッパー片２０を通過する際にしごかれ、塗布具８に最適な状態でパウダー化粧料２が付着した状態で取り出すことができる。
この時、スプリング７によって、握り柄６より塗布軸９が最大に突出した状態となり、使用しやすい状態の長さになる。
【００１９】
使用が終了し、あるいはもう一度、塗布具８にパウダー化粧料２を付着して使用する場合、塗布軸９を容器本体３内へ収納し、押し込むと、塗布軸９の先端部の塗布具８はスライド移動体１０のスライド移動体本体１７内を通過し、塗布軸９の先端部がストッパー片２０と当接し、スライド移動体１０を移動可能なところまで、スプリング７の付勢力によって移動する。
この状態で塗布軸９を引き出せば、塗布具８にしごかれて残ったパウダー化粧料２を使用することができ、握り柄６と容器本体３を回転させてねじ部４とねじ部５を螺合させることにより、収納状態にできる。
[発明を実施するための異なる形態]
【００２０】
次に、図７ないし図１２に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２１】
図７ないし図９に示す本発明を実施するための第２の形態において、前記本発明を実施するための最良の第１の形態と主に異なる点は、スライド移動体本体１７の上端部にリング状のストッパー片２０を形成したスライド移動体１０Ａを用いた点で、このようなスライド移動体１０Ａを用いて構成したパウダー化粧料の収納容器１Ａにしても、前記本発明を実施するための最良の第１の形態と同様な作用効果が得られる。
【００２２】
図１０ないし図１２に示す本発明を実施するための第３の形態において、前記本発明を実施するための最良の第１の形態と主に異なる点は、先端部にねじ部５が形成されたフランジ部１４の内側部位に押し圧板１６と当接するストッパー部２１が形成され、後端部が開口の握り柄本体１１Ａと、この握り柄本体１１Ａの後部の開口を閉塞する閉塞栓２２とからなる握り柄６Ａを用いた点で、このように形成された握り柄６Ａを用いて構成されたパウダー化粧料の収納容器１Ｂにしても、前記本発明を実施するための最良の第１の形態と同様な作用効果が得られる。
【産業上の利用可能性】
【００２３】
本発明はパウダー化粧料の収納容器を製造する産業で利用される。
【図面の簡単な説明】
【００２４】
【図１】本発明を実施するための最良の第１の形態の縦断面図。
【図２】本発明を実施するための最良の第１の形態の分解縦断面図。
【図３】本発明を実施するための最良の第１の形態のスライド移動体の正面図。
【図４】図３の４−４線に沿う断面図。
【図５】本発明を実施するための最良の第１の形態の塗布具の収納状態の要部拡大説明図。
【図６】本発明を実施するための最良の第１の形態の塗布具のしごき状態の要部拡大説明図。
【図７】本発明を実施するための第２の形態の縦断面図。
【図８】本発明を実施するための第２の形態の分解縦断面図。
【図９】本発明を実施するための第２の形態の塗布具の収納状態の要部拡大説明図。
【図１０】本発明を実施するための第３の形態の縦断面図。
【図１１】本発明を実施するための第３の形態の分解縦断面図。
【図１２】本発明を実施するための第３の形態の握り柄の縦断面図。
【符号の説明】
【００２５】
１、１Ａ、１Ｂ：パウダー化粧料の収納容器、
２：パウダー化粧料、                    ３：容器本体、
４：ねじ部、                                              ５：ねじ部、            
６、６Ａ：握り柄、                                    ７：スプリング、
８：塗布具、                                                ９：塗布軸、
１０：スライド移動体、                １１、１１Ａ：握り柄本体、
１２：開口部、                                １３：嵌合片、
１４：フランジ部、                                    １５：嵌合部材、
１６：押し圧板、                            １７：スライド移動体本体、
１８：かき落としリング、                        １９：ガタ防止用リング、
２０：ストッパー片、                    ２１：ストッパー部、
２２：閉塞栓。
【図１】
0005069047.tif 000002
【図２】
0005069047.tif 000003
【図３】
0005069047.tif 000004
【図４】
0005069047.tif 000005
【図５】
0005069047.tif 000006
【図６】
0005069047.tif 000007
【図７】
0005069047.tif 000008
【図８】
0005069047.tif 000009
【図９】
0005069047.tif 000010
【図１０】
0005069047.tif 000011
【図１１】
0005069047.tif 000012
【図１２】
0005069047.tif 000013